(57)【要約】      （修正有）【課題】ドローアウト型の機器における防水構造の防水機能を一層高めることができるとともに、制御パネル前面のコンパクト化を図った防水構造を提供する。【解決手段】制御パネル２に形成された開口３に前面から挿入止着されるリヤケース４Ｒにフロントケース４Ｆを引出し分離可能に嵌合連結し、リヤケース４Ｒの前部外周部に形成されたフランジ部８の背面と制御パネル２の前面との間に第１シール材９を介在するとともに、リヤケース４Ｒとフロントケース４Ｆとの嵌合部１１の内奥部に第２シール材１２を介在し、嵌合部１１の外方端を第１シール材９で封止してある。【選択図】図２
2008227243.tif 000002
【特許請求の範囲】
【請求項１】
制御パネルに形成された開口に前面から挿入止着されるリヤケースにフロントケースを引出し分離可能に嵌合連結し、リヤケースの前部外周部に形成されたフランジ部の背面と制御パネルの前面との間に第１シール材を介在するとともに、リヤケースとフロントケースとの嵌合部の内奥部に第２シール材を介在し、前記嵌合部の外方端を前記第１シール材で封止してあることを特徴とする防水構造。
【請求項２】
前記フロントケースにおける背面の外周近くに形成した環状溝にリヤケースに形成された前記フランジ部を嵌入して、前記嵌合部の外方端を後方向きに形成し、前記フランジ部の背面と前記環状溝の外側に形成された周壁部の後端面に亘って前記第１シール材を押圧してある請求項１記載の防水構造。
【請求項３】
前記環状溝の外側に形成された周壁部の後端面と、リヤケースにおける前記フランジ部の背面とを、面一、あるいは、略面一にしてある請求項２記載の防水構造。
【請求項４】
前記嵌合部の外方端を前記第１シール材における前面の外側寄りに位置させてある請求項２または３に記載の防水構造。
【請求項５】
前記嵌合部の外方端と内奥の第２シール材装着箇所との間の複数箇所で嵌合部を屈折してある請求項１ないし４のいずれか一項に記載の防水構造。
【請求項６】
複数に屈折した前記嵌合部を前後方向に折り返し屈折してある前記請求項５記載の防水構造。
【請求項７】
機器ケースを、制御パネルに形成された開口に前面から挿入止着されるリヤケースにフロントケースを引出し分離可能に嵌合連結して構成するとともに、前記請求項１ないし６のいずれかの防水構造を備えていることを特徴とするパネル取付型機器。
【発明の詳細な説明】
【技術分野】
【０００１】
本発明は、例えば、温度調節器、タイマ、カウンタなどの各種の機器を、制御パネルに取り付けるのに好適な防水構造、および、それを用いたパネル取付型の機器に関する。
【背景技術】
【０００２】
この種の機器を制御パネルの開口へ取り付けるに際しては、パッキン等のシール材を用いて、制御パネルの前面から機器取付け用の開口を介して水がパネル内に浸入するのを防止する防水構造が採用されている（例えば、特許文献１参照）。
【０００３】
また、図６に示すように、ドローアウト型の機器では、機器ケースをリヤケース４Ｒとフロントケース４Ｆとを分離可能に嵌合連結した構造にして、メンテナンスに際しては、制御パネル２にリヤケース４Ｒを取り付けた状態のままでフロントケース４Ｆを引き出すことができるよう構成されているので、リヤケース４Ｒのフランジ部と制御パネル２の前面との間にシール材９を介装するとともに、リヤケース４Ｒとフロントケース４Ｆとの嵌合部１１の内奥にもＯリングなどのシール材１２を介在して防水を図っている。
【特許文献１】特開平８−１０７２８４号公報
【発明の開示】
【発明が解決しようとする課題】
【０００４】
ドローアウト型の機器における上記防水構造では、リヤケース４Ｒとフロントケース４Ｆとの嵌合部１１の内奥にシール材１１が組み込まれて防水が図られているのであるが、嵌合部１１の外方端がケース外周に露出するとともに、嵌合部１１の外方端１１ａからシール材装着箇所までが短いものとなっているので、外方端１１ａから侵入した水がシール材装着箇所まで入り込みやすく、シール材１２が劣化したり、フロントケース４Ｆの引き出しメンテナンス時などにおいてシール材１２に傷が付いたりしてシール機能が低下していると、リヤケース４Ｒとフロントケース４Ｆとの嵌合部１１からケース内に水が浸入するおそれが高まるものであった。
【０００５】
また、リヤケース４Ｒとフロントケース４Ｆとの嵌合部１１にシール構造を組み込むために、制御パネル２からの機器ケース前端部の突出量が大きくなり、制御パネル前面のコンパクト化を阻むものとなっていた。
【０００６】
本発明は、このような実情に着目してなされたものであって、ドローアウト型の機器における防水構造の防水機能を一層高めることができるとともに、制御パネル前面のコンパクト化を図ることができるようにすることを目的とするものである。
【課題を解決するための手段】
【０００７】
（１）本発明の防水構造は、制御パネルに形成された開口に前面から挿入止着されるリヤケースにフロントケースを引出し分離可能に嵌合連結し、リヤケースの前部外周部に形成されたフランジ部の背面と制御パネルの前面との間に第１シール材を介在するとともに、リヤケースとフロントケースとの嵌合部の内奥部に第２シール材を介在し、前記嵌合部の外方端を前記第１シール材で封止している。
【０００８】
本発明の防水構造によると、リヤケースとフロントケースとの嵌合部は、その内奥において第２シール材で封止されるとともに、水の浸入口となる嵌合部の外方端が第１シール材で封止されることになり、嵌合部が内外二重に防水されることになる。
【０００９】
嵌合部の外方端の封止のための専用のシール材が不要であるので、リヤケースとフロントケースとの嵌合部を内外二重に防水するものでありながらコンパクトなものに構成することができ、制御パネルからの機器ケース突出量を小さくすることが可能となる。
【００１０】
(２)本発明の防水構造の一つの実施形態では、前記フロントケースにおける背面の外周近くに形成した環状溝にリヤケースに形成された前記フランジ部を嵌入して、前記嵌合部の外方端を後方向きに形成し、前記フランジ部の背面と前記環状溝の外側に形成された周壁部の後端面に亘って前記第１シール材を押圧している。
【００１１】
この実施形態によると、制御パネルとリヤケースとの間の封止と、リヤケースとフロントケースとの嵌合部の封止を好適に行うことができる。
【００１２】
(３)上記（２）の実施形態では、前記環状溝の外側に形成された周壁部の後端面とリヤケースにおける前記フランジ部の背面とを、面一、あるいは、略面一にしている。
【００１３】
この実施形態によると、第１シール材の前面は扁平でよく、断面形状が矩形に形成された単純な形状の第１シール材を使用して、制御パネルとリヤケースとの間の封止と、リヤケースとフロントケースとの嵌合部の封止を行うことができる。
【００１４】
(４)本発明の好ましい実施形態では、前記嵌合部の外方端を前記第１シール材における前面の外側寄りに位置させている。
【００１５】
この実施形態によると、第１シール材の前面の大部分がフロントケースのフランジ部の背面に受け止められることになり、第１シール材による制御パネルとリヤケースとの間の封止が確実なものとなる。
【００１６】
(５)本発明の他の実施形態では、前記嵌合部の外方端と内奥の第２シール材装着箇所との間の複数箇所で嵌合部を屈折させている。
【００１７】
この実施形態によると、水の浸入径路となる嵌合部がラビリンス構造となり、防水機能が高いものとなる。
【００１８】
(６)上記（５）の実施形態では、複数に屈折した前記嵌合部を前後方向に折り返し屈折させている。
【００１９】
この実施形態によると、水の浸入径路となる嵌合部が複雑なラビリンス構造となり、防水機能が一層高いものとなる。
【００２０】
(７)本発明のパネル取付型機器は、機器ケースを、制御パネルに形成された開口に前面から挿入止着されるリヤケースにフロントケースを引出し分離可能に嵌合連結して構成するとともに、上記（１）ないし（６）のいずれかの防水構造を備えていることを特徴とする。
【００２１】
本発明のパネル取付型機器によると、水の降りかかりやすい環境下や屋外に設置して好適に使用することができる。
【発明の効果】
【００２２】
本発明によれば、ドローアウト型の機器における防水構造の防水機能を一層高めることができるとともに、制御パネルからの機器ケースの突出を少なくして制御パネル前面でのコンパクト化を図ることができる。
【発明を実施するための最良の形態】
【００２３】
以下、本発明の実施例を図面に基づいて説明する。
【００２４】
図１に、パネル取付型の機器１の一例である温度調節器の外観斜視図が、図２に、この機器１の取付状態を示す横断平面図が、図３に、フロントケース４Ｆを前方に引出した取付状態を示す横断平面図がそれぞれ示されている。
【００２５】
この機器１は、制御パネル２に形成した開口３に前面から挿入されて裏側から適宜手段で固定される。機器ケース４は、制御パネル２に挿入止着される箱形のリヤケース４Ｒと、このリヤケース４Ｒに前方から嵌合連結されるフロントケース４Ｆとからなる分割構造に構成されている。フロントケース４Ｆの背部に、回路基板５や配線用の端子台などが組み込まれるとともに、フロントケース４Ｆの前面に液晶表示部６やタッチパネル型の操作スイッチ７が備えられており、リヤケース４Ｒを制御パネル２に取り付けた状態のままで、フロントケース４Ｆを前方に引出し分離してメンテナンスできる構造、いわゆるドローアウト型に構成されている。
【００２６】
リヤケース４Ｒの前部外周にはフランジ部８が突出形成され、制御パネル２にリヤケース４Ｒを組み付け止着する際に、制御パネル２の前面とフランジ部８の背面との間に、矩形断面形状に形成されたゴム製の第１シール材９が挟持されることで、開口３を通してパネル背後に水が浸入することが防止されている。
【００２７】
フロントケース４Ｆにおける外周近くの背面には、図３に示すように、環状溝１０が形成され、この環状溝１０にリヤケース４Ｒの前端部がフランジ部８と共に嵌入されることで、リヤケース４Ｒにフロントケース４Ｆが脱着可能に嵌合連結されるとともに、その嵌合部１１の内奥に、ゴム製Ｏリングからなる第２シール材１２が挟持介在されて、嵌合部１１を通して水がケース内に浸入することが阻止されている。
【００２８】
環状溝１０はケース中心側が浅い段付き溝状に形成されるとともに、リヤケース４Ｒの前端部もその段付き形状に合わせた形状に形成され、内奥の浅い段部に前記第２シール材１２が装備される。
【００２９】
環状溝１０の外側に位置して形成された筒状の周壁部１３は、その後端が先狭まり形状に形成され、リヤケース４Ｒとフロントケース４Ｆとの嵌合部１１は、前後に大きく折り返えされるとともに、複数個所で屈折され、図４の一部拡大図に示す嵌合部１１の外方端１１ａから侵入する水が内奥に移動しにくいラビリンス構造となっている。そして、リヤケース４Ｒにフロントケース４Ｆを連結した状態において、周壁部１３の後端面がフランジ部８の背面と面一、あるいは、略面一になるよう設定されており、周壁部１３の後端面とフランジ部８の背面との間に、嵌合部１１の外方端１１ａが位置するようになっている。従って、第１シール材９の前面が、フランジ部８の背面のみならず外周部１３の後端面にも弾性押圧作用し、嵌合部１１の外方端１１ａが第１シール材９の前面で封止されることになる。
【００３０】
嵌合部１１の外方端１１ａは第１シール材９における前面の外側寄りに位置されており、第１シール材９は制御パネル２の前面とフランジ部８の背面との充分な面積で挟持されて弾性変形されるので、第１シール材９はフランジ部８の外側で弾性復元変形することになり、第１シール材９が嵌合部１１の外方端１１ａに若干食い込むとともに、外周部１３の後端面に弾性圧接される。
【００３１】
このように、嵌合部１１の外方端１１ａが第１シール材９で封止され、かつ、嵌合１１の外方端１１ａと第２シール材１２による封止部位との間がラビリンス構造となっていることで、ケース前面に付着した水が嵌合部１１を通ってケース内に侵入することが確実に阻止される。
【００３２】
（他の実施例）
本発明は、以下のような形態で実施することもできる。
【００３３】
（１）図５に示すように、フロントケース４Ｆにおける周壁部１３の後端面全周に、リヤケース４Ｒにおけるフランジ部８の背面より突出する小突条１４を形成しておくと、この小突条１４が第１シール材９の前面に食い込んで、嵌合部１１における外方端１１ａでの封止を一層確実に行うことができる。
【００３４】
（２）図５に示すように、リヤケース４Ｒとフロントケース４Ｆとの嵌合部１１を屈折の少ない形状に形成してもよく、これによるとフロントケース４Ｆにおける外周部１３の剛性が高まり、フロントケース４Ｆを脱着した際に外周部１３の後端が欠損することを防止する機能が高いものになるとともに、ケース形状が簡素化されて、ケース成形金型のコスト低減にも寄与する。
【産業上の利用可能性】
【００３５】
本発明は、温度調節器、タイマ、カウンタなどの各種のパネル取付型機器の防水構造として有用である。
【図面の簡単な説明】
【００３６】
【図１】パネル取付型機器の斜視図である。
【図２】制御パネルに取り付けた機器の前部を示す横断平面図である。
【図３】フロントケースを引き出した状態の横断平面図である。
【図４】防水構造を拡大した横断平面図である。
【図５】他の実例の防水構造を示す横断平面図である。
【図６】従来の防水構造の一例を示す横断平面図である。
【符号の説明】
【００３７】
２            制御パネル
３            開口
４Ｒ          リヤケース
４Ｆ          フロントケース
８            フランジ部
９            第１シール材
１０          環状溝
１１          嵌合部
１１ａ        外方端
１２          第２シール材
１３          周壁部
【図１】
2008227243.tif 000003
【図２】
2008227243.tif 000004
【図３】
2008227243.tif 000005
【図４】
2008227243.tif 000006
【図５】
2008227243.tif 000007
【図６】
2008227243.tif 000008